(57)【特許請求の範囲】
【請求項１】
毛髪用美容組成物を毛髪に塗布するためのアプリケータ（１）であって、前記アプリケータ（１）は、プレート（１０）及び筒状容器（２０）を含み、前記プレート（１０）及び前記筒状容器（２０）は、前記アプリケータ（１）が閉じた状態と開いた状態との間で切り替わることができるように、連結部（３０）によって可動に連結され、前記プレート（１０）は、外側表面（１０２）及び内側表面（１０１）を有し、前記内側表面（１０１）は、前記内側表面（１０１）から突出する第１のフィン（７０）と、前記内側表面（１０１）から突出する第２のフィン（７１）とを含み、前記第１のフィン（７０）及び前記第２のフィン（７１）はそれぞれ、自由遠位縁（８０、８１）を個別に含み、前記第１のフィン（７０）の前記自由遠位縁（８０）は、前記第２のフィン（７１）の前記自由遠位縁（８１）の方を向き、
前記筒状容器（２０）は、基部（２０１）、前記基部（２０１）から生じる壁部（２０２）、及び縁部（２２２）を含み、
前記アプリケータ（１）は、流体調量手段を更に含み、前記流体調量手段は、前記縁部（２２２）に隣接する前記壁部（２０２）の内側表面上に位置付けられる下方調量手段（５０）を含み、前記下方調量手段（５０）は、前記壁部（２０２）の前記内側表面から、前記筒状容器（２０）の中心の方に向かって延在し、前記アプリケータ（１）が前記閉じた状態にあるとき、前記下方調量手段（５０）及び前記第１のフィン（７０）は、実質的に並置されて前記流体調量手段を提供する、アプリケータ（１）。
【請求項２】
前記アプリケータが前記閉じた状態にあるとき、前記第２のフィン（７１）及び前記下方調量手段（５０）が実質的に並置される、請求項１に記載のアプリケータ（１）。
【請求項３】
前記下方調量手段（５０）が、少なくとも１つのストリップ（１３）を含む、請求項１又は２に記載のアプリケータ（１）。
【請求項４】
前記下方調量手段（５０）は、ポリマー樹脂、熱可塑性エラストマー（ＴＰＥ）若しくはコポリマー、ポリウレタンの独立気泡発泡体若しくは連続気泡発泡体、及び／又は多重層にした前記材料の組み合わせから選択される、請求項１〜３のいずれか一項に記載のアプリケータ（１）。
【請求項５】
前記下方調量手段（５０）が連続的である、請求項１〜４のいずれか一項に記載のアプリケータ（１）。
【請求項６】
前記下方調量手段（５０）の前記ストリップ（１３）のそれぞれは互いに実質的に平行である、請求項３、並びに請求項３を引用する請求項４及び５のいずれか一項に記載のアプリケータ。
【請求項７】
前記下方調量手段（５０）の前記ストリップ（１３）のそれぞれが、それぞれの隣接する前記ストリップ（１３）から実質的に等距離である、請求項３、及び請求項３を引用する請求項４〜６のいずれか一項に記載のアプリケータ。
【請求項８】
前記下方調量手段（５０）が液体不透過性である、請求項１〜７のいずれか一項に記載のアプリケータ。
【請求項９】
前記下方調量手段（５０）が、２〜６つの前記ストリップ（１３）を含む、請求項３、及び請求項３を引用する請求項４〜８のいずれか一項に記載のアプリケータ。
【請求項１０】
前記下方調量手段（５０）が、前記筒状容器（２０）の前記縁部（２２２）に実質的に平行に位置付けられる、請求項１〜９のいずれか一項に記載のアプリケータ。
【請求項１１】
請求項１〜１０のいずれか一項に記載のアプリケータ（１）を用いて毛髪用美容組成物を毛髪ストランドに塗布する方法であって、毛髪用美容組成物を前記開いた状態の前記アプリケータ（１）に加える工程と、毛髪ストランドの束を選択する工程と、前記毛髪ストランドを前記アプリケータ（１）に配置する工程と、前記アプリケータ（１）を前記閉じた状態にしてから前記毛髪ストランドの長さに沿って前記毛髪ストランドを拭う工程とを含む、方法。
【請求項１２】
請求項１〜１１のいずれか一項に記載のアプリケータ（１）と、１つ以上の個別包装された毛髪用美容組成物と、その使用説明書とを含む、パーツのキット。
【請求項１３】
毛髪ストランド効果をもたらすために、１つ以上の毛髪用美容組成物又はそれらの組み合わせを用い、前記アプリケータ（１）は、前記毛髪ストランド効果をもたらす前に、前記１つ以上の毛髪用美容組成物が充填される、請求項１〜１２のいずれか一項に記載のアプリケータ（１）の使用方法。
【発明の詳細な説明】
【技術分野】
【０００１】
本発明は、化粧品組成物を繊維、好ましくはケラチン性繊維に正確に、また乱雑にならないように、そして均一に塗布することを可能にするアプリケータに関する。第１の及び第２のフィンと、流体調量手段とを含むこのアプリケータは特に、毛髪ストランド効果を提供する毛髪用美容組成物用として意図されている。
【背景技術】
【０００２】
別個の毛髪ストランドに毛髪用美容組成物を塗布すると、ユーザーは、頭部全体への塗布とは異なる見た目を達成することができる。毛髪ストランド効果を提供する毛髪用美容組成物としては、ハイライト組成物、染色組成物、パーマ組成物、スタイリング組成物及びこれらの混合物が挙げられる。
【０００３】
ハイライト組成物及び染色組成物によって提供されるもののような毛髪ストランド効果は、望ましい場所に正確に塗布しなければならない。例えば、十分すぎる量のハイライト組成物を毛根に塗布すると、その組成物は、隣接した未選択の毛髪ストランドに移動することがある。これによって、最終結果全般が変わる場合があると共に、ユーザーが作り出そうとしていた模様が完全に分裂する場合がある。過剰な量の製品を毛根に塗布した場合、毛髪の長さに沿って色彩効果が一貫したものにならず、望ましくない視覚効果につながる。その代わりに不十分な組成物を毛髪ストランドに塗布した場合、毛髪ストランド効果の均一性が得られないことがあり、視覚的に許容不可能である最終結果を引き起こす。したがって、処理される毛髪ストランドに沿って、一定量の製品が均一に塗布されることが重要である。
【０００４】
ハイライトのような毛髪ストランド効果を提供するための１つの既知の方法は、キャップ・フック式システムである。穴を備えるキャップが、頭の上に位置付けられ、毛髪ストランドが、フックで引き出される。キャップ・フック式システムは、正確とは程遠く、キャップ上の穴を介して毛髪ストランドを無作為に選択してしまう、またハイライト組成物を、選択した毛髪ストランドの一部にしか塗布しないうえに、毛根部分に塗布しない可能性があるなどのいくつかの欠点を持つ。
【０００５】
いくつかのアプリケータが、キャップ・フック式システムの代替物として、毛髪ストランドの独立した束に毛髪用美容組成物を加えるためのものとして設計されてきた。これらのアプリケータは、２つの一般分野に属する。１つの分野は、櫛及び／又はブラシをベースとしたアプリケータを含む。もう一方の群は、一方が他方に関して可動である、２つの関節構造を呈する部分を有するアプリケータを含む。この後者の分野では、多くの試みが開示されてきた。米国特許第３，０３０，９６８号明細書は、浸漬作業によって充填される液体処理材用のアプリケータに言及している。このアプリケータは、トラフと、Ｕ字型弾性バネの脚部の末端部上に取り付けられた毛髪ガイド部材とを含む。このバネによって、手での圧縮が可能になり、毛髪ガイド部材がトラフに適合可能になる。米国特許第６，０６２，２３１号明細書は、毛髪用製品を毛髪ストランドに塗布するためのデバイスを開示している。このデバイスは、関節構造を呈する２つの部分、即ち、浸漬作業によって充填される塗布手段と、デバイスを使用している間、このアプリケータ手段の上に毛髪ストランドを保つ保持部材とを含む。米国特許出願公開第２００３／００２４５４４号明細書には、別の試みが示されており、毛髪用製品のための空洞と、伸縮自在に変形可能である保持部材とが設けられたデバイスが開示されている。この保持部材は、多孔質又は繊維性材料を含むことがあり、空洞には、毛髪用美容組成物の塗布中に毛髪ストランドを適所に保つための、少なくとも１つの切り欠きが設けられている。しかしながら、このような部材の使用には多くの欠点があり、特に組成物が毛髪ストランド全体に対して均一に付着せず、及び／又は毛髪が過剰にコーティングされたり、若しくは一部の毛髪ストランドが全くコーティングされないことがある。更に、組成物もアプリケータから移動して汚れを生じることがある。
【先行技術文献】
【特許文献】
【０００６】
【特許文献１】米国特許第３，０３０，９６８号明細書
【特許文献２】米国特許第６，０６２，２３１号明細書
【特許文献３】米国特許出願公開第２００３／００２４５４４号明細書
【発明の概要】
【発明が解決しようとする課題】
【０００７】
毛髪ストランド効果、具体的にはハイライト及び染色の効果を得るために組成物を自分で塗布することは本質的に困難であると一般的には認識されている。期待される最終結果を得るには、いくつかの技術的課題に対処するために、毛髪用美容組成物を自分で塗布するのを容易にするアプリケータを考案する必要があるが、具体的には、このアプリケータは、毛髪ストランドの独立した束に組成物を均一に塗布しなければならない。組成物がハイライト組成物又は染色組成物であるとき、均一性は非常に重要である。これらの組成物によってもたらされる永続的効果は、塗布後、直ぐには目に見えず、結果が魅力的でない場合でも、容易に戻せない。つまり、アプリケータは、毛髪ストランドの束の長さ及び幅に沿って、かつ、同様に、前側表面及び後側表面上で、均質なコーティングを確実に実現しなければならない。
【０００８】
これに加えて、このようなアプリケータは、隣接するストランド又は頭皮及び皮膚に付着させることなく、全ての毛髪ストランドをコーティングし、それによって毛髪ストランド効果を提供するのに十分な量の毛髪用美容組成物を塗布しなければならない。更には、アプリケータは、ユーザーがアプリケータを毛髪ストランドの束に沿って動かす間に、毛髪用美容組成物を塗布して、それから続いて擦り落とすべきではない。このようなアプリケータを用いた塗布は、毛髪用美容組成物が毛髪用美容用アプリケータから漏れることなく、整然と清潔な形で実施されなければならない。更に、アプリケータは、進路に支障をきたして、からまり（snaring）、もつれ、及び潜在的な不快感をユーザーに与えることのないよう、アプリケータに毛髪ストランドを拭うことができなければならない。
【０００９】
最後に、毛髪用美容組成物のための、そのようなアプリケータは使用が容易であるべきであり、それは安価で、生産が容易であるべきであり、毛髪用美容組成物をどのくらい及びどこに充填すべきかなどの事柄について、いかなる特別な経験及び訓練をも必要とするべきではない。理想的には、製造業者によって提供される、いくつかの指示に従うだけで、消費者がアプリケータを充填し、使用できなければならない。
【００１０】
アプリケータは、本明細書において以下に定義されるように、毛髪用美容組成物の塗布を著しく改善して毛髪ストランド効果もたらすことができるということが今では判明している。
【課題を解決するための手段】
【００１１】
本発明によると、毛髪用美容組成物を毛髪に塗布するためのアプリケータ（１）であって、アプリケータ（１）は、プレート（１０）及び筒状容器（２０）を含み、プレート（１０）及び筒状容器（２０）は、アプリケータ（１）が、閉じた状態と開いた状態との間で切り替わることができるように、連結部（３０）によって可動に連結され、プレート（１０）は、外側表面（１０２）及び内側表面（１０１）を有し、内側表面（１０１）は、内側表面（１０１）から突出する第１のフィン（７０）と、内側表面（１０１）から突出する第２のフィン（７１）とを含み、第１の及び第２のフィン（７０、７１）は自由遠位縁（８０、８１）をそれぞれ個別に含み、第１のフィン（７０）の自由遠位縁（８０）は、第２のフィン（７１）の自由遠位縁（８１）の方を向き、筒状容器（２０）は、基部（２０１）、この基部（２０１）から生じる壁部（２０２）、及び縁部（２２２）を含み、アプリケータ（１）は、流体調量手段を更に含み、この流体調量手段は、縁部（２２２）に隣接する壁部（２０２）の内側表面上に位置付けられ、壁部（２０２）の内側表面から、筒状容器（２０）の中心の方に向かって延在する、下方調量手段（５０）を含み、アプリケータ（１）が閉じた状態にあるとき、この下方調量手段（５０）及び第１のフィン（７０）は、実質的に並置されて流体調量手段を提供する、アプリケータが提供される。
【００１２】
更に、本発明は、本発明によるアプリケータを用いて、毛髪用美容組成物を毛髪に塗布する方に関し、これによって、毛髪の束を選択し、アプリケータ内に毛髪ストランドを配置しながら、毛髪用美容は、開いた状態にあるアプリケータに塗布される。アプリケータは、閉じた状態にされ、次いで毛髪ストランドの長さに沿って通される。
【００１３】
本発明はまた、本発明によるアプリケータと、１つ以上の個別包装された毛髪用美容組成物と、その使用説明書とを含む、パーツのキットに関する。
【図面の簡単な説明】
【００１４】
【図１】本発明によるアプリケータ（１）の実施形態の斜視図である。前述のアプリケータは、プレート（１０）と、筒状容器（２０）と、連結部（３０）とを含む。筒状容器は、基部（２０１）及びこの基部（２０１）から生じる壁部（２０２）、並びに縁部（２２２）を含む。本実施形態では、下方調量手段（５０）は、縁部（２２２）に隣接する筒状容器（２０）の壁部（２０２）の内側表面上に位置付けられ、かつ筒状容器（２０）の中心の方に向かって延在する。第１の及び第２のフィン（７０、７１）は、プレート（１０）の内側表面（１０１）から突出する。アプリケータ（１）は、この図では開いた状態で示されており、プレート（１０）の内側表面（１０１）は、筒状容器（２０）の開口部（２０３）と遠位関係にある。筒状容器（２０）の基部（２０１）の上には、連結部（３０）の横の壁部（２０２）に隣接して、アプリケータ（１）は封止手段（４０１）を含む。
【図２】本発明によるアプリケータ（１）の実施形態の斜視図である。プレート（１０）は、連結部（３０）によって、筒状容器（２０）に可動に連結されている。第１の及び第２のフィン（７０、７１）は、プレート（１０）の内側表面（１０１）から突出する。下方調量手段（５０）は、縁部（２２２）に隣接する壁部（２０２）の内側表面上に、２つの部分（５０、５０’）において、連結部（３０）の端部に隣接して、位置付けられる。
【発明を実施するための形態】
【００１５】
本発明の目的では、用語「毛髪」は、生きている毛髪、即ち、生物上の毛髪と、生きていない毛髪、即ち、かつら、ヘアピース、又は生きていないケラチン繊維の他の集合体との両方を指す。哺乳類、好ましくはヒトの毛髪が意図される。
【００１６】
本発明の目的では、「上に配置される」という用語は一般的に、この用語が言及する機構を配置する行為ではなく、この用語が言及する機構の場所を示すために用いられる。
【００１７】
本発明は、本明細書に記載する特徴が、上記技術的問題を解決するために本発明中で選択される特定の関係で組み合わされるとき、それらが有する相乗関係によって特徴付けられる。
【００１８】
本明細書に記載される技術的効果を達成するため、図１に示されるように、本発明による、毛髪に毛髪用美容組成物を塗布するためのアプリケータ（１）は、プレート（１０）及び筒状容器（２０）を含む。連結部（３０）は、プレート（１０）をこの筒状容器（２０）に可動に連結する。プレート（１０）は、外辺部（１０３）並びに内側表面（１０１）及び外側表面（１０２）を含む。筒状容器（２０）は、基部（２０１）及び壁部（２０２）によって形成され、壁部（２０２）は、基部（２０１）から出て、上方に延在している。壁部（２０２）は、縁部（２２２）を含み、壁部（２０２）及び縁部（２２２）は、図１に示されるように、筒状容器（２０）の開口部（２０３）を画定する。プレート（１０）及び筒状容器（２０）は、連結部（３０）によって可動に連結され、よってアプリケータ（１）は、開いた状態から閉じた状態に切り替わることができる。この後者の状態では、プレート（１０）の内側表面（１０１）は、筒状容器（２０）の開口部（２０３）と並置関係にある。
【００１９】
プレート（１０）の内側表面（１０１）は、内側表面（１０１）から突出する第１のフィン（７０）及び第２のフィン（７１）を更に含む。第１のフィン（７０）の遠位縁（８０）は、第２のフィン（７１）の遠位縁（８１）の方を向く。アプリケータ（１）は、下方調量手段（５０）を含む流体調量手段を更に含む。下方調量手段（５０）は、縁部（２２２）に隣接する壁部（２０２）の内側表面上に位置付けられ、下方調量手段（５０）は、この壁部の内側表面から筒状容器（２０）の中心の方に向かって延在する。下方調量手段（５０）及び第１のフィン（７０）は、アプリケータ（１）が閉じた状態にあるとき、下方調量手段（５０）及び第１のフィン（７０）が実質的に並置されて流体調量手段を提供するように位置付けられる。好ましくは、下方調量手段（５０）及び第２のフィン（７１）もまた、アプリケータ（１）が閉じた状態にあるとき、下方調量手段（５０）及び第２のフィン（７１）が実質的に並置されて流体調量手段を提供するように位置付けられる。
【００２０】
第１の及び第２のフィン（７０、７１）と、後述のような下方調量手段（５０）を含む流体調量手段との組み合わせにより、アプリケータ（１）は、きれいで乱雑にならないだけでなく、有効な毛髪ストランド効果を提供するよう均一に、毛髪用美容組成物を毛髪ストランドに塗布することができるようになる。
【００２１】
１．アプリケータ
本発明によるアプリケータ（１）は、筒状容器（２０）に可動に連結されたプレート（１０）を含む。本発明によるアプリケータ（１）のプレート（１０）及び筒状容器（２０）は、人間工学的寸法のものであるため、どちらの手にも簡単に適合することができる。内側表面（１０１）は、好ましくは、約２ｃｍ2〜約１５０ｃｍ2、好ましくは約２ｃｍ2〜約７０ｃｍ2、より好ましくは約３ｃｍ2〜約５０ｃｍ2、更に好ましくは約４ｃｍ2〜約３０ｃｍ2の表面積を有する。プレート（１０）の形は、様々であってよい。矩形、正方形、円形、長円形、楕円形又はこれらの組み合わせは、製造しやすいため有用であり得るが、他の形、とりわけ、消費者が認識しやすい他の形も用いてよい。
【００２２】
アプリケータ（１）のプレート（１０）は、軸Ｙを含む。軸Ｙは、プレート（１０）の中央から真っ直ぐ延びていると共に、連結部（３０）を横断方向に、好ましくは連結部（３０）を実質的に垂直に横切っている。
【００２３】
プレート（１０）は、外辺部（１０３）、内側表面（１０１）及び外側表面（１０２）を含む。筒状容器（２０）は、基部（２０１）と、壁部（２０２）とを含み、壁部（２０２）は縁部（２２２）を含む。縁部（２２２）は、筒状容器（２０）の開口部（２０３）及び内部容積部を画定する。内部容積部は好ましくは、毛髪用美容組成物を収容するためのものである。壁部（２０２）は、内側及び外側表面を含む。
【００２４】
好ましくは、プレート（１０）の外辺部（１０３）及び筒状容器（２０）の壁部（２０２）の縁部（２２２）は、曲線状でも尖っていてもよい。プレート（１０）の外辺部（１０３）及び筒状容器（２０）の壁部（２０２）の縁部（２２２）は、それぞれ個別に、ある長さを有する。好ましくは、外辺部（１０３）及び縁部（２２２）は、実質的に等しい長さを有する。縁部（２２２）は幅も含む。好ましくは、縁部（２２２）の幅は、約１ｍｍ〜約２０ｍｍ、より好ましくは約２ｍｍ〜約１５ｍｍ、更に好ましくは約３ｍｍ〜約８ｍｍである。
【００２５】
プレート（１０）の内側表面（１０１）は、図１及び２に示されるように実質的に平坦であってもよく、あるいは凹状、凸状であってもよく、又は波状のパターンを有してもよい。外側表面（１０２）、壁部（２０２）、及び基部（bottom）（２０１）もまた、実質的に平坦、凹状、凸状、又は波状であってもよい。好ましくは、筒状容器（２０）の基部（２０１）は実質的に平坦である。
【００２６】
プレート（１０）及び筒状容器（２０）は、毛髪用美容組成物を支持できるいずれかの既知の材料又は材料の組み合わせから製造してよい。好適な材料は、ポリオレフィン、例えばポリプロピレン、ポリエチレン又はポリエチレンテレフタレートのような、ポリマー樹脂である。使用できる他の材料としては、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、適切な場合熱可塑性バルカネート（vulcanate）若しくはコポリマー、可撓性のある柔軟な基材、例えば板紙、金属系の基材及びアルミニウム箔、フィルム状基材、又は材料の多数の積層若しくは多数の層の組み合わせが挙げられる。
【００２７】
プレート（１０）及び筒状容器（２０）の製造方法としては、射出成形、共射出成形、オーバーモールディング、インモールドアセンブリ、圧縮成形、吹込成形、ブリスター型シェルの熱成形又は真空成形、及び水平面又は垂直面におけるキャリアプラスチック又はボード材料上への積層を挙げることができるが、これらに限定されない。
【００２８】
連結部（３０）は、アプリケータ（１）が開いた状態から閉じた状態に切り替わることができるように、プレート（１０）と筒状容器（２０）とを移動可能な形で接合される。デバイス（１０）が閉じた状態にあるとき、下方調量手段（５０）は、第１のフィン（７０）と実質的に並置関係にある。
【００２９】
プレート（１０）と筒状容器（２０）は、ユーザーの手、例えば親指と人差し指の間を含め、連結部（３０）のための上記の要件を満たすいずれかの好適な手段によって連結する。１つの実施形態では、プレート（１０）及び筒状容器（２０）は、ピンセット様又はトング様の連結部（３０）のアームの末端部に取り付けられている。別の実施形態では、プレート（１０）と筒状容器（２０）は、１つ以上のヒンジ、好ましくは１つのヒンジによって連結する。好ましくは、連結部（３０）は、プレート（１０）の外辺部（１０３）、及び筒状容器（２０）の縁部（２２２）と接触すると共に、これらに隣接して配置される。
【００３０】
連結部（３０）は、アプリケータ（１）の制御に対するユーザー感覚を向上させるために、また、ユーザーが、どちらの手を用いても、アプリケータ（１）を毛髪ストランドの各束まで正確かつ簡単に誘導できるようにするために、必要である。
【００３１】
２．フィン
本発明によるアプリケータ（１）は、第１のフィン（７０）及び第２のフィン（７１）を含み、これらは、プレート（１０）の内側表面（１０１）から、好ましくは実質的に平坦な内側表面（１０１）から個別に突出する。第１のフィン（７０）の遠位縁（８０）は、第２のフィン（７１）の遠位縁（８１）の方を向く。本発明の範囲内の「フィン」という用語は、好ましくは後述のように実質的に一定の厚みの、材料のストリップ又はシートを画定する。第１のフィン（７０）及び第２のフィン（７１）の形状は変化してもよく、好ましくは、第１のフィン（７０）及び第２のフィン（７１）は、平行六面体の形状を有し、ここでは、６つの面のうちの２つが、残りの４つの面のいずれかの面積よりも少なくとも２倍、より好ましくは５倍大きい面積にわたっている。これらの２つの面は、好ましくは実質的に平坦な表面を有する。第１フィン（７０）及び第２フィン（７１）の形は、様々であってよい。矩形、正方形、円形、長円形、楕円形、又はこれらの組み合わせが有用であり得る。図１及び２に示す矩形が好ましい。
【００３２】
図１に示されるように、第１のフィン（７０）は、プレート（１０）の内側表面（１０１）、好ましくは実質的に平坦な内側表面から突出し、約１ｍｍ〜約５０ｍｍ、好ましくは約２ｍｍ〜約２５ｍｍ、より好ましくは３ｍｍ〜約１５ｍｍの平均第１の長さ（Ｌ１）にわたって延びている。図２に示されるように、第２のフィン（７１）は、第１のフィン（７０）から個別に、プレート（１０）の内側表面、好ましくは実質的に平坦な内側表面（１０１）から突出し、約１ｍｍ〜約５０ｍｍ、好ましくは約２ｍｍ〜約２５ｍｍ、より好ましくは３ｍｍ〜約１５ｍｍの平均第２の長さ（Ｌ２）にわたって第１のフィン（７０）から個別に延びている。
【００３３】
好ましくは、第１フィン（７０）及び第２フィン（７１）は個別に、プレート（１０）の内側表面（１０１）から突出しており、実質的に等しい第１及び第２の平均長（Ｌ１；Ｌ２）で延びている。第１のフィン（７０）及び第２のフィン（７１）のそれぞれは、遠位縁及び近位縁を有する。近位縁は、図２に示されるように、プレート（１０）の内側表面（１０１）に取り付けられているものである。第１のフィン（７０）の遠位縁（８０）は、第２のフィン（７１）の遠位縁（８１）の方を向く。近位縁は、第１のフィン（７０）に対して平均幅（Ｗ１）によって、第２のフィン（７１）に対して平均幅（Ｗ２）によってそれぞれ個別に区切られており、第１のフィン（７０）に対して平均厚さ（Ｔ１）によって、第２のフィン（７１）に対して平均厚さ（Ｔ２）によってそれぞれ個別に区切られている。平均幅（Ｗ１）及び（Ｗ２）は、好ましくは約２０ｃｍ〜約０．５ｃｍ、より好ましくは約１５ｃｍ〜約１．０ｃｍ、更により好ましくは約１０ｃｍ〜約１．５ｃｍである。平均厚さ（Ｔ１）及び（Ｔ２）は、好ましくは約５ｍｍ〜約０．１ｍｍ、より好ましくは約４ｍｍ〜約０．５ｍｍ、更により好ましくは約３ｍｍ〜約０．５ｍｍである。好ましくは、遠位縁は、これらの近位縁のように、実質的に等しい平均幅（Ｗ１）及び（Ｗ２）、並びに実質的に等しい平均厚さ（Ｔ１）及び（Ｔ２）も有する。第１の及び第２のフィン（７０；７１）は、突出部を有してもよく、あるいは、特に視覚的又は触知的装飾を提供する目的でエンボス加工されていてもよい。
【００３４】
好ましくは、第１フィン（７０）及び第２フィン（７１）は実質的に等しく、近位縁（９０；９１）が、軸Ｙに実質的に平行であり、遠位縁（８０；８１）が図２に示されるように互いの方に向かって接近する形で突出する。好ましくは、第１のフィン（７１）（first fin（71））の近位縁（９０）、より好ましくは第１のフィン（７１）（first fin（71））の近位縁（９０）及び第２のフィン（７１）の近位縁（９１）は、図２に示されるようにプレート（１０）の軸Ｙに実質的に平行である内側表面（１０１）から突出する。
【００３５】
第１の及び第２のフィン（７０、７１）は、プレート（１０）又は筒状容器（２０）を製造するために本明細書において前述した種々の材料で提供されてもよく、アプリケータ（１）とは個別に製造されてもよい。好ましくは、フィンは流体不透過性である。特定の実施形態では、第１のフィン（７０）及び第２のフィン（７１）の両方、並びにプレート（１０）は、例えば熱可塑性エラストマーから、同じ射出成形型又は共射出成形型で製造されてもよい。
【００３６】
３．流体調量手段
本発明によるアプリケータ（１）は、好ましくは少なくとも１つの凸状の弾力性部材又は少なくとも１つの平行六面体形状の弾力性部材から選択される、下方調量手段（５０）を含む流体流体調量手段を特徴とする。好ましくは、下方調量手段は、液体不透過性である。下方調量手段（５０）は、筒状容器（２０）の縁部（２２２）に隣接する筒状容器（２０）の壁部（２０２）の内側表面上に位置付けられ、下方調量手段は、壁部（２０２）の内側表面から壁部（２０２）の中心の方に向かって延在する。アプリケータ（１）が閉じた状態にあるとき、下方調量手段（５０）及び第１のフィン（７０）が実質的に並置されて流体調量手段を提供する。好ましくは、フィン（７０、７１）は、アプリケータ（１）が閉じた状態にあるとき、筒状容器（２０）の基部（２０１）に接触しない。用語「弾力性」は、本明細書に使用されるとき、加圧により変形され、圧力の解放により、その弛緩した位置に戻る、流体調量手段の能力を指す。
【００３７】
理論に束縛されるものではないが、縁部（２２２）に隣接する筒状容器の内側壁部（２０２）上に位置付けられ、この筒状容器の中心の方に向かって延在する下方調量手段（５０）と、内側表面（１０１）から突出する第１のフィン及び第２のフィン（７１）とを含む流体調量手段を有することによって、アプリケータ（１）が毛髪用美容組成物を塗布できるようにするだけでなく、毛髪ストランド全体に沿ってこの組成物を均一に塗布できるようにすると考えられ、それによって、アプリケータ（１）が閉じた状態にあるとき、下方調量手段（５０）及び第１のフィン（７０）は実質的に並置される。
【００３８】
均一性は、毛髪トリートメントの塗布において、特に毛髪用美容組成物がハイライト組成物又は染色組成物であるとき、重要である。これらの組成物によって提供される永続的効果は、塗布後直ちに目に見えるものではなく、また結果が魅力的なものでない場合に、簡単には逆戻りできない。つまり、アプリケータは、毛髪ストランドの束の毛根から先端までの長さに沿って、また同様に、前側表面及び後側表面上で、毛髪ストランドの束の幅にわたって、均質な塗布を確実に実現しなければならない。したがって、塗布される毛髪用美容組成物の量のみならず、塗布する方法も重要である。本発明によるアプリケータ（１）は、毛髪用美容組成物を毛髪ストランドに、好ましくは毛髪ストランドの束に塗布するのを促進するために設計されているだけでなく、アプリケータ（１）は、使用中に、もつれ若しくは絡みによって毛髪の動きが損なわれることなく、毛髪用美容組成物が過剰な量で塗布されるか、アプリケータ（１）が使用されている間に、毛髪ストランドから除去されないということも回避する。特に、弾力性下方調量手段の条件は、結果として毛髪から組成物をこすり取る圧点が、使用中に生成されないようにする。弾力性はまた、毛髪がないときに、閉じた位置において、アプリケータが、縁部において封止部を形成し、いずれかの組成物が漏れ出るのを防ぐようにし、毛髪が存在している間は、それは変形することができ、髪及び制御された量の組成物が通過するのを可能にする。
【００３９】
下方調量手段（５０）は少なくとも１つの、好ましくは少なくとも２つの凸状の弾力性部材、又は少なくとも１つの、好ましくは少なくとも２つの、より好ましくは少なくとも５つの平行六面体形状の弾力性部材を含む。好ましい平行四面体（parelleliped）の形の部材はストリップ（１３）である。本発明の範囲内の「ストリップ（１３）」という用語は、好ましくは後述のように実質的に一定の厚さのストリップ（１３）又は材料のシートと定義する。ストリップ（１３）のそれぞれの形状は、様々であってもよいが、好ましくは、各ストリップ（１３）は、平行六面体の形状を有し、この形状においては、６つの面のうちの２つが、残りの４つの面の面積の少なくとも２倍である面積にわたって延びている。これらの２つの面は、好ましくは実質的に平坦な表面を有する。ストリップ（１３）のそれぞれの形は、様々であってよい。矩形、正方形、円形、長円形、楕円形、又はこれらの組み合わせが有用であり得る。図２に示す矩形が好ましい。
【００４０】
下方調量手段（５０）のストリップ（１３）は、連続的又は不連続な方式で、好ましくは連続的な方式で縁部（２２２）に隣接して、壁部（２０２）の内側表面上に位置付けられる。「不連続な」によって、ストリップ（１３）のそれぞれは、軌跡若しくは小島を形成してもよく、又は中断されてもよいということを意味する。一実施形態では、下方調量手段（５０）は、壁部（２０２）の全体の縁部（２２２）に隣接して位置付けられる。他の実施形態では、下方調量手段（５０）は、壁部（２０２）の内側表面の１つの区分のみ又は複数の区分上に配置されており、例えば、壁部（２０２）の内側表面の長さの部分のみが、図１及び２に示されるように下方調量手段（５０）を含んでもよい。好ましくは、下方調量手段（５０）は、連結部（３０）に隣接して位置付けられ、より好ましくは下方調量手段（５０）は、連結部（３０）の２つの端部に隣接して位置付けられる。好ましくは、下方調量手段（５０）は、縁部（２２２）に実質的に平行して位置付けられる。
【００４１】
各実施形態において、下方調量手段（５０）及び第１のフィン（７０）は、アプリケータが閉じた状態にあるとき、下方調量手段（５０）及び第１のフィン（７０）が実質的に並置されるように、位置付けられる。特に好ましい実施形態では、下方調量手段（５０）は、２つの部分（５０；５０’）を含み、この部分（５０；５０’）は、好ましくは連結部（３０）の２つの端部に隣接して配置される。参照番号５０及び６０は、本明細書において、下方及び上方調量手段をそれぞれ、加えて、この上方及び下方調量手段の部分を指すために使用される。
【００４２】
好ましい実施形態では、下方調量手段（５０）は、少なくとも１つのストリップ（１３）、好ましくは２〜２０のストリップ（１３）、好ましくは４〜１４、より好ましくは６〜１２のストリップ（１３）を含む。
【００４３】
好ましい実施形態では、下方調量手段（５０）は、ストリップ（１３）のセットの２セットを含み、前述のセットのそれぞれは、少なくとも２つのストリップ（１３）、好ましくは５つのストリップ（１３）を含む。下方調量手段（５０）のストリップ（１３）は、好ましくは実質的に互いに平行に配向され、より好ましくは、ストリップ（１３）のそれぞれのセットは、互いに実質的に平行であり、かつ好ましくはそれぞれ隣接するストリップ（１３）から等距離であるストリップ（１３）を含む。
【００４４】
下方調量手段（５０）のストリップ（１３）のそれぞれは、約３ｍｍ〜約４０ｃｍの、好ましくは約５ｍｍ〜約１０ｃｍの、より好ましくは約８ｍｍ〜約５ｃｍの長さを個別に有してもよい。下方調量手段（５０）のストリップ（１３）は、長さに沿って一定の又は可変の幅を個別に有してもよい。下方調量手段（５０）のストリップ（１３）は、約０．１ｍｍ〜約２ｍｍ、好ましくは約０．１ｍｍ〜約１．０ｍｍ、より好ましくは０．１ｍｍ〜約０．５ｍｍの最大幅、０．１ｍｍ〜５．０ｍｍ、好ましくは０．２ｍｍ〜３．０ｍｍ、より好ましくは０．３ｍｍ〜２ｍｍの最大高さを個別に有してもよい。好ましい実施形態では、ストリップ（１３）は、実質的に等しく、一定である幅及び長さ、並びに好ましくは実質的に等しい高さを有する。
【００４５】
本発明の代替の実施形態では、下方調量手段（５０）は、少なくとも２つのストリップ（１３）を含み、ここではストリップ（１３）のそれぞれは、同一の高さではない。実施形態は、最大高さ又は最小高さと、その高さが徐々に最大まで増加し、それはアプリケータ（１）の壁部（２０２）の内側表面の外側若しくは内側に延在してもよく、またストリップ（１３）が隆起した床上に位置付けられ、それが実質的に水平であるか、又はアプリケータ（１）の壁部（２０２）の内側表面の外側若しくは内側に延在することができる構成とを有する中央のストリップ（１３）がある構成を含む。
【００４６】
本発明の他の実施形態によると、下方調量手段（５０）は、少なくとも１つ、好ましくは少なくとも２つの凸状の弾力性部材を含む。部材のそれぞれは個別に内側及び外側表面を含み、下方流体調量手段（５０）の外側表面は個別に凸状の形を有し、アプリケータ（１）が閉じた状態にあるとき、下方調量手段（５０）及び第１のフィン（７０）は、実質的に並置されて流体調量手段を提供する。本明細書で使用されるとき、用語「下方調量手段（５０）の外側表面」は、壁部（２０２）の内側表面と直接接触しない下方調量手段の表面を指し、「内側表面」は壁部（２０２）の内側表面と接触する表面を指す。
【００４７】
凸状の部材は、連続的又は不連続な方式で、好ましくは連続的な方式で、壁部（２０２）の内側表面上に位置付けられてもよい。「不連続な」によって、前述の部材は軌跡若しくは小島を形成してもよく、又は中断されてもよいということを意味する。一実施形態では、凸状の部材は、縁部（２２２）に隣接する壁部の長さ全体上に、好ましくは縁部（２２２）に実質的に平行に配置される。他の実施形態では、凸状部材は、縁部（２２２）に隣接する壁部（２０２）の内側表面の長さの１つの区分又は複数の区分上のみに配置される。一実施形態において、凸状部材は、壁部（２０２）の内側表面の外辺部の長さ全体に実質的に沿って延在してもよく、あるいは、他の実施形態では、外辺部の長さの１つの区分のみ又は複数の区分が凸状の部材を含む。
【００４８】
好ましくは、凸状の部材は、連結部（３０）に隣接して位置付けられる。各実施形態では、しかしながら、凸状の部材は、アプリケータが閉じた状態にあるとき、凸状の部材及び第１のフィン（７０）が実質的に並置されるように、位置付けられる。特に好ましい実施形態では、下方調量手段（５０）は、２つの部分（５０；５０’）を含む。好ましくは、下方調量手段（５０）のそれぞれは、実質的に半楕円形の外側表面を有し、より好ましくは、外側表面のそれぞれは、その長さ全体にわたって半楕円形の横断面を有し、これは好ましくは長さ全体にわたって均一である。代替の好ましい実施形態では、凸状の部材は個別に管状の形又は部分的に管状の形を有し、かつ好ましくは部分的若しくは全体的に中空である。
【００４９】
下方調量手段（５０）は、好ましくは、ポリオレフィンなどのポリマー樹脂、例えばポリプロピレン、ポリエチレン若しくはポリエチレンテレフタレート、ポリ塩化ビニル、エチレンビニルアセテート、ポリウレタン、ポリテトラフルオロエチレン、ポリスチレン、天然ゴム、ラテックス、ナイロン、ニトリル、シリコーン；適切な場合若しくは熱可塑性エラストマーもまた使用され得る熱可塑性エラストマー（ＴＰＥ）若しくはコポリマー、又は可撓性の柔軟な基材、例えば金属系の基材及びアルミニウム箔、又は複数の積層体若しくは多重層にしたこのような材料の多層の組み合わせから個別に選択される。好ましくは、下方調量手段（５０）は熱可塑性エラストマーから作製される。また、本発明の下方調量手段としては、物理的に重ね合わせるか、合わせて連続して接合（積層）するか、不連続なパターンで、又は別個の軌跡において外縁を結合することによって、同じ又は異なる材料の１つ以上の重ね層を有する複合材料も挙げられる。
【００５０】
下方調量手段（５０）は壁部（２０２）の内側表面に、任意の適切な方法で取り付けてもよい。ただし、方法が、調量手段（５０）の性能を損なわない又は変更しないことを条件とする。前述の部材、例えば、ストリップ（１３）は、隣接する部材、例えばストリップ（１３）に、又は部材若しくはストリップ（１３）のセット上の部材若しくはストリップ（１３）に取り付けられても、取り付けられなくてもよい。
【００５１】
４．付加的な機構
アプリケータ（１）は、１つ以上の封止手段を更に含んでもよく、好ましくは、１つの封止手段（４０１）が、毛髪用美容用アプリケータ（１）内に存在する。封止手段（４０１）は、接続部（３０）側の壁部（２０２）に隣接した筒状容器（２０）の基部（bottom）（２０１）上、又は接続部（３０）に隣接した内側表面（１０１）に位置してもよい。好ましくは、封止手段（４０１）は、連結部（３０）に隣接している。
【００５２】
プレート（１０）の内側表面（１０１）が、筒状容器（２０）の開口部（２０３）と並置関係になるとき、毛髪用美容組成物が連結部（３０）の方に移動するのを防ぐと共に、毛髪が連結部（３０）内に閉じ込められるのを防ぐ目的で、封止手段（４０１）を提供する。封止手段（４０１）の製造に有用な材料には、本明細書で第１フィン（７１）に関して記載した材料、及び発泡体が挙げられる。
【００５３】
１つ以上のストッパ機構をアプリケータ（１）の上に組み入れてもよい。ストッパ機構は、連結部（３０）と連携して、プレート（１０）の内側表面（１０１）が、筒状容器（２０）の開口部（２０３）と並置関係になると、外辺部（１０３）と縁部（２２２）との間の平均距離が確実に制御されるようにする。一実施形態では、２つのストッパ機構は筒状容器（２０）の壁部（２０１）の縁部（２２２）上に備えられ、好ましくは２つのストッパ機構は、実質的に等しい半球である。ストッパ機構の製造に有用な材料は、本明細書に記載のプレート（１０）又は筒状容器（２０）の製造に関して前述されている。
【００５４】
本明細書に開示されているアプリケータ（１）は、プレート（１０）の外側表面（１０２）の上、及び／又は筒状容器（２０）の基部（bottom）（２０１）の上に把持区域を更に含んでもよい。把持区域は、把持部を提供するように設計されている。把持手段は、ユーザーの指に適合する締結手段として提供してもよい。
【００５５】
指を使って、毛髪用美容組成物を塗布すべき毛髪ストランドを選択してもよい。しかし、本発明のアプリケータ（１）には、毛髪ストランド選択手段を更に設けてもよい。毛髪ストランドの選択手段の例は、これに限定されるものではないが、スパイク、フック、鉤針、クリップ又はビーズである。毛髪ストランド選択手段は、プレート（１０）及び／又は筒状容器（２０）の上に組み入れてもよい。ペンナイフの刃で起こる動きのように、毛髪ストランド選択手段が、プレート（１０）及び／又は筒状容器（２０）に近い位置から遠い位置まで揺れ動くことができるように、手段は、スナップ機構によって、プレート（１０）及び／又は筒状容器（２０）に取り付けてもよい。また、毛髪ストランド選択手段は、本明細書で後述されているようなキットの構成要素として、本発明のアプリケータ（１）に別個に提供してもよい。
【００５６】
５．使用方法
本発明は、本発明によるアプリケータ（１）を用いて、毛髪用美容組成物を毛髪ストランド、好ましくは毛髪ストランドの束に塗布する方法にも関し、アプリケータ（１）は、毛髪用美容組成物を含み、方法によって、毛髪ストランドをアプリケータ（１）と接触させる。アプリケータ（１）には、１つ以上の毛髪用美容組成物を事前に充填してもよいが、好ましくは、毛髪ストランド、好ましくは毛髪ストランドの束をアプリケータ（１）と接触させる前に、１つ以上の毛髪用美容組成物をアプリケータ（１）の中に充填する。
【００５７】
毛髪用美容組成物は、単一の毛髪用美容組成物であってよく、又は毛髪に塗布する前に第２の毛髪用美容組成物と混合する必要のある第１の毛髪用美容組成物によって形成してもよい。好ましくは、第１及び第２の毛髪用美容組成物を混合して、第３の毛髪用美容組成物を形成する。第３の毛髪用美容組成物は、毛髪用美容用アプリケータ（１）によって毛髪ストランド、好ましくは毛髪ストランドの束と接触させる前に、毛髪用美容用アプリケータ（１）内に充填する。
【００５８】
毛髪用美容用アプリケータ（１）に１つ以上の毛髪用美容組成物を充填したら、ユーザーは、アプリケータ（１）のプレート（１０）の外側表面（１０２）及び筒状容器（２０）の基部（bottom）（２０１）を片手で、好ましくは親指と人差し指の間に持つ。ユーザーが、処理する毛髪ストランドを選択したら、アプリケータ（１）を開いた状態にしたまま、毛髪ストランド、好ましくは毛髪ストランドの束を、プレート（１０）と格納部分（２０）との間に配置する。続いて、プレート（１０）の内側表面（１０１）を筒状容器（２０）の開口部（２０３）と並置関係にする。毛髪ストランドの長さに沿って、好ましくは毛髪ストランドの束上で、アプリケータ（１）を通して、１つ以上の毛髪用美容組成物を塗布する。より好ましくは、毛髪用美容用アプリケータ（１）は、毛髪ストランドの毛根ラインに、好ましくは、毛髪ストランドの束の毛根ラインに配置する。また、毛髪の限られた領域のみに毛髪用美容組成物を塗布すること、即ち、ユーザーは、毛髪用美容組成物で根元ラインのみをコーティングすることもできる。毛髪ストランドを拭う作業は、１回超、好ましくは２回、繰り返してよい。
【００５９】
最後に、毛髪用美容組成物の塗布は、ぬれた状態又は乾燥した状態の毛髪上で発生してもよく、任意に、第１の組成物及び第２の組成物を毛髪へ塗布する間に、リンス又はシャンプー工程を含めることができる。
【００６０】
６．毛髪用美容組成物、その使用法、及びキット
本発明は更にキットを含む。キットは、本発明によるアプリケータ（１）と、１つ以上の個別包装された毛髪用美容組成物とを含む。好ましくは、これらの組成物は、スタイリング組成物、染色組成物、ハイライト組成物又はこれらの組み合わせからなる群から選択される。これらの毛髪用美容組成物のそれぞれ又はそれらの組み合わせを用いて、上記の毛髪デバイス（１）による毛髪ス；トランド効果を提供することができる。より好ましくは、１つ以上の毛髪用美容組成物はハイライト組成物である。
【００６１】
本発明による毛髪用美容用アプリケータ（１）と共に用いることのできる毛髪用美容組成物の例は、下記の表１に示されている。毛髪用美容組成物は、既知であるか、従来より使用されているか、さもなければ、毛髪用美容組成物、特に酸化ブリーチング及び染料組成物で用いるのに有効な構成成分を含んでよく、その構成成分としては、顕色剤染料化合物、カップラー染料化合物、直接染料、酸化剤、還元剤、増粘剤、キレート化剤（chelants）、ｐＨ調節剤及び緩衝剤、アルカリ化剤、炭酸イオン源及びラジカルスカベンジャー系、グリシン、アモジメチコン、エチレンジアミン二コハク酸、アニオン性、カチオン性、非イオン性、両性若しくは双極性界面活性剤、又はこれらの混合物、アニオン性、カチオン性、非イオン性、両性若しくは双極性ポリマー、疎水変性ポリマー又はこれらの混合物、芳香剤、分散剤、溶媒、過酸化物安定化剤、キレート化剤（chelants）、湿潤剤、タンパク質及びその誘導体、植物材料（例えば、アロエ、カモミール及びヘンナ抽出物）、シリコーン（揮発性又は不揮発性、変性又は未変性）、被膜形成剤、セルロースポリマー及びそれらの誘導体、セラミド、保存剤、ゲルネットワーク、変色指示剤及び乳白剤が挙げられるが、これらに限定されない。好適ないくつかの補助剤は、Ｉｎｔｅｒｎａｔｉｏｎａｌ  Ｃｏｓｍｅｔｉｃｓ  Ｉｎｇｒｅｄｉｅｎｔ  Ｄｉｃｔｉｏｎａｒｙ  ａｎｄ  Ｈａｎｄｂｏｏｋ，（８ｔｈ  ｅｄ．；Ｔｈｅ  Ｃｏｓｍｅｔｉｃｓ，Ｔｏｉｌｅｔｒｙ，ａｎｄ  Ｆｒａｇｒａｎｃｅ  Ａｓｓｏｃｉａｔｉｏｎ）に列挙されている。特に、第２巻、第３項（化学分類（Chemical Classes））及び第４項（機能（Functions））は、特定の目的又は複数の目的を達成するための具体的な補助剤を識別する際に有用である。代表的であるが包括的ではないポリマー及び増粘剤の一覧は、「Ｔｈｅ  Ｅｎｃｙｃｌｏｐａｅｄｉａ  ｏｆ  Ｐｏｌｙｍｅｒｓ  ａｎｄ  Ｔｈｉｃｋｅｎｅｒｓ  ｆｏｒ  Ｃｏｓｍｅｔｉｃｓ」（Ｒｏｂｅｒｔ  Ｙ．Ｌｏｃｈｈｅａｄ，ＰｈＤ及びＷｉｌｌｉａｍ  Ｒ．Ｆｒｏｎ編纂及び編集、Ｄｅｐａｒｔｍｅｎｔ  ｏｆ  Ｐｏｌｙｍｅｒ  Ｓｃｉｅｎｃｅ，Ｕｎｉｖｅｒｓｉｔｙ  ｏｆ  Ｓｏｕｔｈｅｒｎ  Ｍｉｓｓｉｓｓｉｐｐｉ）に見出すことができる。
【００６２】
本発明は更にキットを含む。キットは、上記のようなアプリケータ（１）と、１つ以上の個別包装された毛髪用美容組成物とを含む。１つを超えるアプリケータ（１）がキット内に含まれていてもよい。
【００６３】
本発明の１つの実施形態では、１つ以上の個別包装された毛髪用美容組成物は、第１の個別包装された毛髪用美容組成物、及び第２の個別包装された毛髪用美容組成物を含む。第１及び第２の個別包装された毛髪用美容組成物を混合すると、第３の毛髪用美容組成物が形成される。そのような組成物の例としては、典型的には酸化染料と酸化剤とを含有するいわゆる半永久及び永久着色剤、並びに、酸化剤とアルカリ化剤とを含有し、任意に過硫酸塩を有するハイライト用組成物が挙げられる。好ましくは、第１の個別包装された組成物は酸化剤を含み、第２の個別包装された組成物はアルカリ化剤を含む。好ましくは、酸化剤は過酸化水素である。より好ましくは、第１及び／又は第２の個別包装された毛髪用美容組成物の少なくとも１つは、過硫酸塩を含む。
【００６４】
本発明によるキットの１つの実施形態では、第１の個別包装された毛髪用美容組成物は、第１の個別包装された毛髪用美容組成物の重量比で、過酸化水素を３％〜１２％含み、第２の個別包装された毛髪用美容組成物は、粉末又はペースト活性化剤の形態であり、第２の個別包装された毛髪用美容組成物は、第２の個別包装された毛髪用美容組成物の重量比で、過硫酸ナトリウム、過硫酸カリウム、過硫酸アンモニウム又はこれらの混合物から選択された過硫酸塩を１０％〜６０％含む。キットは、任意に、第３の個別包装された毛髪用美容組成物を含み、この第３の組成物は、第３の個別包装された毛髪用美容組成物の重量比で、水性賦形剤中のアルカリ化剤を３％〜２５％含む。
【００６５】
本発明の別の実施形態では、第１の個別包装された毛髪用美容組成物は、第１の個別包装された毛髪用美容組成物の重量比で、過酸化水素を１．５％〜１２％含み、第２の個別包装された毛髪用美容組成物は、第２の個別包装された毛髪用美容組成物の重量比で、直接染料、酸化染料前駆体、酸化染料カップラー、又はこれらの混合物から選択された染料を０．０１％〜６％含む。
【００６６】
追加的な個別包装された毛髪用美容組成物がキット内に存在してもよく、その組成物は、シャンプー、コンディショナー、又はスタイリング製品を含んでよい。
【００６７】
本明細書に上記のアプリケータの実施形態は、本明細書において以下に記載の組成物のそれぞれと共に使用されるとき、容易な塗布をもたらし、毛髪上に組成物の均一な塗布となり、同時に消費者の不快感又は毛髪のもつれも発生させない。
【００６８】
相１（表１の１．１、２．１、３．１、４．１）のいずれかの製剤約４５ｇ（液体形態）を、粉末形態である相２（表１の１．２、２．２、３．２、４．２）のいずれかの製剤約１５ｇと混合することによって、毛髪ブリーチング組成物を調製した。混合は、以下のように行った。相２の粉末製剤を混合トレイの中に入れ、相１の液体製剤を粉末の上に注いだ。続いて、へらを用いて、これら２つの製剤を合わせて混合して、ブリーチング組成物を形成した。ブリーチング組成物が目視で均質になったときに、混合を終わらせた。
【００６９】
【表１】
0005155456.tif 000002
1ステアリルアルコールＣｒｏｄａｃｏｌ  Ｓ−９５、Ｃｒｏｄａ，Ｉｎｃ．
2セチルアルコール、Ｃｒｏｄａｃｏｌ  Ｃ−７０、Ｃｒｏｄａ，Ｉｎｃ．
3セテレアス（Cetearth）２５、Ｃｒｅｍｏｐｈｏｒ  Ａ  ２５、ＢＡＳＦ  Ｃｏｒｐｏｒａｔｉｏｎ
4Ａｃｕｌｙｎ（商標）３３、Ｒｏｈｍ  ａｎｄ  Ｈａｓｓ  Ｃｏｍｐａｎｙ  Ｉｎｃ．
5Ｓａｌｃａｒｅ（商標）ＳＣ  ９０  Ｃｉｂａ  Ｓｐｅｃｉａｌｔｙ  Ｃｈｅｍｉｃａｌｓ  Ｃｏｒｐｏｒａｔｉｏｎ
6Ｃａｒｂｏｐｏｌ（商標）Ｕｌｔｒｅｚ  １０
【００７０】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。
【図１】
0005155456.tif 000003
【図２】
0005155456.tif 000004